(57)【要約】【課題】雨樋に溜まった堆積物の除去作業を高所に上ることなく安全に行うことができる竪樋に備えられる堆積物除去装置を提供する。【解決手段】筒状本体１３は地面Ｇから１ｍ程度の高さに備えられている。堆積物Ｔを取り除く場合には、締付バンド２０の摘み部２０ｂを回してバンド部２０ａを緩めて、更に筒状本体１３を回して筒状本体１３の雌ネジ１９を連結体２１の雄ネジ２３から外す。そして、筒状本体１３を下降させる。連結体２１が下降すると、筒状本体１３と上側の竪樋７ａとが離れて、筒状本体１３の上面開口が開放される。このようにして開放された筒状本体１３の上面開口から手を入れて、堆積物Ｔを取り除く。【選択図】        図３
0003118885.tif 000002
【実用新案登録請求の範囲】
【請求項１】
分割された上側の竪樋と下側の竪樋の間に介装され地面に立った人の手が届く位置に備えられ、且つ上側の竪樋に対し接続される状態と上面開口へ手を入れることができる程度まで離間する状態とに上下動できる筒状本体と、前記筒状本体に備えられ砂利や落ち葉等の堆積物を捕捉して通過を阻止でき、且つ雨水の通過を許容する堆積物捕捉体と、前記筒状本体を竪樋に接続された状態で固定する固定手段とを具備することを特徴とする竪樋に備えられる堆積物除去装置。
【請求項２】
請求項１に記載した竪樋に備えられる堆積物除去装置において、筒状本体は地面から１０ｃｍ〜１５０ｃｍの位置に備えられることを特徴とする竪樋に備えられる堆積物除去装置。
【請求項３】
請求項１または２に記載した竪樋に備えられる堆積物除去装置において、筒状本体は上下に分割された竪樋のうち下側の竪樋に連結される筒状の連結体を介して接続されていることを特徴とする竪樋に備えられる堆積物除去装置。
【請求項４】
請求項１〜３のいずれかに記載した竪樋に備えられる堆積物除去装置において、筒状本体の内周面には内側へ向かって突出するフランジが形成されていることを特徴とする竪樋に備えられる堆積物除去装置。
【請求項５】
請求項４に記載した竪樋に備えられる堆積物除去装置において、フランジに堆積物捕捉体が載置されていることを特徴とする竪樋に備えられる堆積物除去装置。
【考案の詳細な説明】
【技術分野】
【０００１】
本考案は雨樋を構成する竪樋に備えられる堆積物除去装置に係り、特に雨樋に溜まる砂利や落ち葉等の堆積物を高所に上ることなく除去することができる竪樋に備えられる堆積物除去装置に関するものである。
【背景技術】
【０００２】
雨樋は軒樋とこれに接続された竪樋とを有しており、軒樋から竪樋に砂利や落ち葉等が流入するのを防止するためのネットが竪樋の上端開口即ち落とし口を閉鎖する状態に設けられている。従って、砂利や落ち葉等は上記ネットによって捕らえられて竪樋の上端開口付近に堆積する。この堆積物が溜まると雨水が軒樋から竪樋への流入が妨げられ、軒樋から雨水が溢れ出してしまうことになる。よって竪樋の上端開口付近に溜まる堆積物を取り除く必要がある。
【考案の開示】
【考案が解決しようとする課題】
【０００３】
しかしながら、軒樋は建物の軒の直ぐ下に配置されており、地面からかなりの高さに位置することになる。従って、竪樋の上端開口付近に溜まる堆積物を取り除くためには、はしご等を軒に掛けてこれに上って、堆積物の除去作業を行う必要があり、どうしても危険が伴うことになる。
本考案は上記従来の問題点に着目して為されたものであり、雨樋に溜まった堆積物の除去作業を高所に上ることなく安全に行うことができる竪樋に備えられる堆積物除去装置を提供することを目的とする。
【課題を解決するための手段】
【０００４】
本考案は上記課題を解決するためになされたものであり、請求項１の考案は、分割された上側の竪樋と下側の竪樋の間に介装され地面に立った人の手が届く位置に備えられ、且つ上側の竪樋に対し接続される状態と上面開口へ手を入れることができる程度まで離間する状態とに上下動できる筒状本体と、前記筒状本体に備えられ砂利や落ち葉等の堆積物を捕捉して通過を阻止でき、且つ雨水の通過を許容する堆積物捕捉体と、前記筒状本体を竪樋に接続された状態で固定する固定手段とを具備することを特徴とする竪樋に備えられる堆積物除去装置である。
【０００５】
請求項２の考案は、請求項１に記載した竪樋に備えられる堆積物除去装置において、筒状本体は地面から１０ｃｍ〜１５０ｃｍの位置に備えられることを特徴とする竪樋に備えられる堆積物除去装置である。
【０００６】
請求項３の考案は、請求項１または２に記載した竪樋に備えられる堆積物除去装置において、筒状本体は上下に分割された竪樋のうち下側の竪樋に連結される筒状の連結体を介して接続されていることを特徴とする竪樋に備えられる堆積物除去装置である。
【０００７】
請求項４の考案は、請求項１〜３のいずれかに記載した竪樋に備えられる堆積物除去装置において、筒状本体の内周面には内側へ向かって突出するフランジが形成されていることを特徴とする竪樋に備えられる堆積物除去装置である。
【０００８】
請求項５の考案は、請求項４に記載した竪樋に備えられる堆積物除去装置において、フランジに堆積物捕捉体が載置されていることを特徴とする竪樋に備えられる堆積物除去装置である。
【考案の効果】
【０００９】
本考案の竪樋に備えられる堆積物除去装置によれば、雨樋に溜まった堆積物の除去作業を高所に上ることなく安全に行うことができるようになる。
【考案を実施するための最良の形態】
【００１０】
本考案の実施の形態に係る竪樋に備えられる堆積物除去装置１を図面にしたがって説明する。
図１において符号３は雨樋を示し、この雨樋３は軒樋５と竪樋７とによって構成されている。軒樋５は建物９の軒先の直ぐ下に備えられ、竪樋７は建物９に連結部材１１を介して取り付けられ固定されている。
軒樋５には竪樋７の上端部が接続されており、軒樋５と竪樋７の上端開口とが連通している。
【００１１】
竪樋７は途中部分で上下に分割されており、上側の竪樋７ａと下側の竪樋７ｂとに分かれている。そして、上側の竪樋７ａの下端部と下側の竪樋７ｂの上端部との間に堆積物除去装置１が備えられている。
【００１２】
竪樋に備えられる堆積物除去装置１の詳細な構造について説明する。
符号１３は筒状本体を示し、この筒状本体１３はほぼ円筒状に形成されており、その内径は竪樋７の外径よりわずかに大きい寸法に形成されている。筒状本体１３の内周面には内側へ向かって突出するフランジ１５が形成されている。フランジ１５は筒状本体１３の内周面に沿って連続して形成されている。フランジ１５が形成された部分の筒状本体１３の内径は竪樋７の内径とほぼ同じ寸法となっている。また、筒状本体１３の下端部の内周面には雌ネジ１９が形成されている。
【００１３】
フランジ１５上には堆積物捕捉体としての捕捉ネット１７が載置されている。捕捉ネット１７は例えばステンレススチール等の金網から成り、比較的高さの低いドーム状に形成されている。
筒状本体１３の上端部は締付バンド２０が巻かれている。締付バンド２０はバンド部２０ａとこのバンド部２０ａの締め付け度合いを調節する摘み部２０ｂを有している。
【００１４】
符号２１はほぼ円筒状の連結体を示し、この連結体２１の下端部には他の部分より径寸法の小さい嵌合部２５が形成されている。また連結体２１の上端部の外周面には雄ネジ２３が形成されている。この連結体２１の嵌合部２５より上側の部分は、その内径、外径共に竪樋７と同じ寸法に形成されている。また、嵌合部２５の外径は下側の竪樋７ｂに嵌合できる寸法に形成されている。
【００１５】
次に、この堆積物除去装置１を竪樋７に取り付ける作業について説明する。
まず、竪樋７を地面Ｇに立った人の手が届く位置、例えば地面Ｇから１ｍ程度の位置で分割して、上側の竪樋７ａと下側の竪樋７ｂとに分ける。更に上側の竪樋７ａと下側の竪樋７ｂの少なくとも一方の端部を切り落として、上側の竪樋７ａと下側の竪樋７ｂとの間に堆積物除去装置１を介装する。
【００１６】
即ち、連結体２１の嵌合部２５を下側の竪樋７ｂの上端部へ入れて嵌合させる。なお、必要に応じて嵌合部２５と下側の竪樋７ｂとを接着剤を用いて接着固定してもよい。
そして、筒状本体１３を引き上げて、筒状本体１３の雌ネジ１９と連結体２１の雄ネジ２３とを螺合させ筒状本体１３を回して、更に筒状本体１３を上昇させる。これにより筒状本体１３の上面開口を上側の竪樋７ａに入れて、筒状本体１３に上側の竪樋７ａにある程度入り込んだ状態にする。次いで、締付バンド２０の摘み部２０ｂを回してバンド部２０ａを締め付けて、筒状本体１３を上側の竪樋７ａに固定する。
上記のようにして筒状本体１３は分割された上側の竪樋７ａに取り付けられ、且つ連結体２１を介して下側の竪樋７ｂに取り付けられて、上側の竪樋７ａと下側の竪樋７ｂの間に介装される。
【００１７】
雨水と共に砂利や落ち葉等が軒樋５から竪樋７の上端開口から流入すると、図２に示すように砂利や落ち葉等は捕捉ネット１７に捕捉されて、堆積物Ｔとして捕捉ネット１７に上に溜まる。雨水は捕捉ネット１７を通過して下側の竪樋７ｂへ流れ込む。
なお、フランジ１５が形成された部分の筒状本体１３の内径は竪樋７の内径とほぼ同じ寸法となっているので、上側の竪樋７ａから筒状本体１３へ流入した雨水はその拡がりが規制される。このため筒状本体１３と連結体２１とが接合する部分に雨水が直接当たらず、雌ネジ１９と連結体２１の雄ネジ２３とが螺合する部分から雨水が漏れるのを防ぐことができる。また、連結体２１の嵌合部２５を下側の竪樋７ｂの上端部へ入れて嵌合させているので、連結体２１と下側の竪樋７ｂとの連結部分から雨水が漏れるのを防止することができる。
【００１８】
堆積物Ｔを取り除く場合には、締付バンド２０の摘み部２０ｂを回してバンド部２０ａを緩めて、更に筒状本体１３を回して筒状本体１３の雌ネジ１９を連結体２１の雄ネジ２３から外す。そして、図３に示すように筒状本体１３を下降させる。連結体２１が下降すると、筒状本体１３と上側の竪樋７ａとが１０ｃｍ程度離れて、筒状本体１３の上面開口が開放される。また、フランジ１５の下面が連結体２１の上端面に当接して、筒状本体２１の下降が所定位置で規制される。
【００１９】
上記のようにして開放された筒状本体１３の上面開口から手を入れて、堆積物Ｔを取り除く。なお、筒状本体１３を上側の竪樋７ａから外した際の振動等によって、上側の竪樋７ａ内に溜まっていた堆積物Ｔが落下しても、捕捉ネット１７がフランジ１５に載置されているので、堆積物Ｔが下側の竪樋７ｂに入ってしまうのを防止することができる。
【００２０】
また、上側の竪樋７ａに堆積物が詰まっている場合には、先端が鈎形になった掻き出し棒等を上側の竪樋７ａの下端部開口かたら挿入して、堆積物Ｔを掻き出す。この場合にも上記と同様に捕捉ネット１７がフランジ１５に載置されているので、堆積物Ｔが下側の竪樋７ｂに入ってしまうのを防止できる。
上記のように堆積物除去装置１では、筒状本体１３が上側の竪樋７ａに対し接続される状態と上面開口へ手を入れることができる程度まで離間する状態とに上下動できるので、はしご等用いて高所に上ることなく、雨樋７に溜まる堆積物Ｔを簡単に除去することができる。
【００２１】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では筒状本体１３を地面Ｇから１ｍ程度の高さに備えたが、本考案はこれに限定されず、好ましく地面から１０ｃｍ〜１５０ｃｍの範囲で適宜の高さに取り付ける。但し、竪樋が備えられている周囲の地形等に応じて筒状本体１３の配置高さを地面から１０ｃｍより低い位置或いは１５０ｃｍより高い位置にすることも可能である。
フランジ１５は筒状本体１３の内周面に沿って連続して形成したが、本考案はこれに限定されず、フランジを筒状本体１３の内周面に沿って連続しない構成、例えば複数の凸部が筒状本体１３の内周面に沿って間隔を開けて配置された構成としてもよい。
【００２２】
上記実施の形態では、堆積物捕捉体をネットによって構成する捕捉ネット１７を採用したが、本考案はこれに限定されず、砂利や落ち葉等の堆積物を捕捉して通過を阻止でき、且つ雨水の通過を許容するものであれば、如何なるものでもよく、例えば格子状の部材によって構成してもよい。
また、堆積物捕捉体はフランジに載置しないで別の手段で筒状本体に取り付けることも可能である。
筒状本体１３と上側の竪樋７ａとが離れる距離は１０ｃｍ程度に限定されず、筒状本体１３の上面開口から手を入れて堆積物Ｔを除去できる程度の距離であれば、１０ｃｍより短い距離でも、長い距離でもよく、好ましくは１０ｃｍ〜２０ｃｍ程度である。
【図面の簡単な説明】
【００２３】
【図１】本考案の実施の形態に係る堆積物除去装置が備えられた雨樋及びこの雨樋を具備する建物の一部を示す図である。
【図２】本考案に係る竪樋に備えられる堆積物除去装置の縦断面図である。
【図３】本考案に係る竪樋に備えられる堆積物除去装置の筒状本体を下降させた状態の縦断面図である。
【符号の説明】
【００２４】
１  竪樋に備えられる堆積物除去装置      ３  雨樋      ５  軒樋
７  竪樋      ７ａ  上側の竪樋      ７ｂ  下側の竪樋
９  建物      １１  連結部材      １３  筒状本体
１５  フランジ      １７  捕捉ネット      １９  雌ネジ
２０  締付バンド      ２０ａ  バンド部      ２０ｂ  摘み部
２１  連結体      ２３  雄ネジ      ２５  嵌合部
Ｇ  地面      Ｔ  堆積物
【図１】
0003118885.tif 000003
【図２】
0003118885.tif 000004
【図３】
0003118885.tif 000005